(57)【要約】【課題】  地球温暖化防止に対し二酸化炭素の削減に有効な永久磁石のエネルギーを電気エネルギーに変換する装置を提供する。【解決手段】  鉄心（５）に重ねて巻いたコイルＡ（６）及びコイルＢ（７）及びコイルＣ（８）とコイルＡ（６）及びコイルＢ（７）の並列回路に接続した全波整流回路とコイルＣ（８）に並列接続したコンデンサＡ（１０）と鉄心（５）に取り付けた永久磁石Ａ（１）及び永久磁石Ｂ（２）及び永久磁石Ｃ（３）及び永久磁石Ｄ（４）からなり、全波整流回路に交流電源を接続すると、コイルＡ（６）及びコイルＢ（７）による磁束と永久磁石Ａ（１）及び永久磁石Ｂ（２）及び永久磁石Ｃ（３）及び永久磁石Ｄ（４）による磁束がプラスされた磁束の電磁誘導エネルギーが出力側のコイルＣ（８）に発生することを特徴とする永久磁石のエネルギーを電気エネルギーに変換する装置である。【選択図】  図１
2006121889.tif 000002
【特許請求の範囲】
【請求項１】
２個の永久磁石の異磁極側を一組にして、一組以上取り付けた鉄心に入力側のコイル１個以上と出力側のコイル１個以上を重ねて巻いたものと入力側のコイルに接続した全波整流回路と出力側のコイルにコンデンサとダイオードを接続したものであって、交流電流を全波整流回路に流して入力側のコイルにより、鉄心に大きさの変化する一方向の磁束を流して、コイル部分の鉄心内に流れる永久磁石による磁束の大きさを変化させ、入力側のコイルによる磁束変化量と永久磁石による磁束変化量をプラスした磁束変化量により出力側のコイルに誘導起電力を発生させることを特徴とする永久磁石のエネルギーを電気エネルギーに変換する装置。
【発明の詳細な説明】
【技術分野】
【０００１】  本発明は、永久磁石のエネルギーを電気エネルギーに変換する装置に関するものである。
【背景技術】
【０００２】  従来、永久磁石を使用した発電には永久磁石の吸引力又は反発力を利用する方法と電磁誘導作用を利用した発電機があった。
【発明の開示】
【発明が解決しようとする課題】
【０００３】  しかしながら、永久磁石の吸引力や反発力を利用する方法では取り出せるエネルギーは加えたエネルギーより少なくなるし、同様に、電磁誘導を利用した発電機でも出力エネルギーは損失の為少なくなる。さらに、地球温暖化防止に対し二酸化炭素の削減が可能な発電が要望されている。
本発明は、このような、従来の課題を解決しようとするもので、入力エネルギーにプラスして永久磁石の磁束変化による電磁誘導の発生エネルギーを出力エネルギーとして取り出すことにより、入力エネルギーより出力エネルギーを多く取り出す永久磁石のエネルギーを電気エネルギーに変換する装置を提供することを目的とするものである。
【課題を解決するための手段】
【０００４】  鉄心にコイルＡとコイルＢとコイルＣを重ねて巻き、入力側としてコイルＡとコイルＢを磁束の方向が同一になるように並列接続したものに全波整流回路を接続し、出力側としてコイルＣにコンデンサＡを接続する。また、コイルＡ及びコイルＢの磁束と反対方向に磁束が流れるように永久磁石Ａと永久磁石Ｂの異磁極側を一組にして鉄心に取り付ける、同様に永久磁石Ｃと永久磁石Ｄの異磁極側を一組にして鉄心に取り付けた永久磁石発電装置を提供することにより上記課題を解決したものである。
全波整流回路に交流電源を接続すると、一方向の大きさが時間で変化する電流がコイルＡ及びコイルＢに流れるため、一方向の大きさが時間で変化する磁束が発生する。また、永久磁石によるコイルＣ内の鉄心の磁束は、コイルＡとコイルＢによる磁束と反対方向になっているため、コイルＡとコイルＢの磁束が増加すると、コイルＣ内の鉄心の永久磁石の磁束は減少するため、コイルＣにコイルＡとコイルＢによる磁束の変化量とコイルＣ内の鉄心に流れる永久磁石の磁束変化量がプラスされた誘導起電力が発生する。また、コイルＡとコイルＢの磁束が減少するときも同様に、コイルＣにコイルＡとコイルＢの磁束変化量とコイルＣ内の鉄心に流れる永久磁石の磁束変化量がプラスされた誘導起電力が発生する。
コイルＡとコイルＢを並列に接続しているのは、コイルに発生する逆起電力の影響に対し磁束の発生量を増加させるためのものである、また、出力側にコンデンサＡを接続して出力電圧を平滑にする。
【発明の効果】
【０００５】  本発明によれば、コイルＡとコイルＢによる磁束変化量と永久磁石の磁束変化量がプラスされた磁束変化量により、コイルＣに電磁誘導による誘導起電力が発生するため、入力エネルギーに対し出力エネルギーが大きくなる、また、発電装置として地球温暖化防止に対して二酸化炭素削減効果がある。
【発明を実施するための最良の形態】
【０００６】  以下、本発明の実施の形態を説明する。
（イ）鉄心（５）にコイルＡ（６）とコイルＢ（７）とコイルＣ（８）を重ねて巻きつける。
（ロ）コイルＡ（６）とコイルＢ（７）を磁束方向が一致するように並列に接続したものに全波整流回路（９）を接続する。
（ハ）コイルＡ（６）とコイルＢ（７）に発生する磁束の方向と反対に磁束が流れるように永久磁石Ａ（１）と永久磁石Ｂ（２）の異磁極側を一組にして鉄心（５）に取り付ける。同様にして、永久磁石Ｃ（３）と永久磁石Ｄ（４）の異磁極側を一組にして鉄心（５）に取り付ける。
（ニ）コイルＣ（８）にコンデンサＡ（１０）を接続する。
本発明は以上の構成よりなる。
本発明を使用する場合は、全波整流回路（９）に交流電源を接続して全波整流した電流をコイルＡ（６）及びコイルＢ（７）に流し、コイルＣ（８）の端子から出力を取り出す。【０００７】  実施事例１として、出力の取り出し方法に図１以外で図４の回路構成図に示すようにダイオード（１２）をコンデンサＡ（１０）と組み合わせて、出力電圧を直流電圧として取り出す方法とその他の平滑回路を使用して取り出す方法がある。
また、入力側について、全波整流回路を使用しないでコイルＡ（６）とコイルＢ（７）に三角波形などの電流を直接流す方法がある。
また、鉄心（５）内の磁束を増加させる方法に、コイルＡ（６）とコイルＢ（７）にさらにコイルを追加して並列接続することにより、逆起電力によるコイルＡ（６）とコイルＢ（７）に流れる電流の減少分を補い磁束を増加させる方法がある。また、出力側のコイルＣ（８）にさらにコイルを追加して並列接続し、出力電流を増加させる方法がある。また、図４の回路構成図に示すように、コンデンサＢ（１１）を接続することで鉄心（５）の磁束を増加することができる。【０００８】  実施例２として永久磁石による鉄心（５）のコイルＣ（８）側の磁束を増加させる方法に永久磁石の取り付け方法を図５のようにする方法と実施例３の図６のようにする方法がある。
【産業上の利用可能性】
【０００９】  地球温暖化防止に対し二酸化炭素削減に有効な発電装置として、蓄電池に充電して使用する場合と直接電源として使用することが可能である
【図面の簡単な説明】
【００１０】
【図１】本発明にかかる永久磁石のエネルギーを電気エネルギーに変換する装置の構成を示す外観図
【図２】回路構成図
【図３】鉄心部分の斜視図
【図４】実施例１の回路構成図
【図５】実施例２の鉄心部分の斜視図
【図６】実施例３の鉄心部分の斜視図
【符号の説明】
【００１１】（１）永久磁石Ａ      （２）永久磁石Ｂ      （３）永久磁石Ｃ
（４）永久磁石Ｄ      （５）鉄心            （６）コイルＡ
（７）コイルＢ        （８）コイルＣ        （９）全波整流回路
（１０）コンデンサＡ  （１１）コンデンサＢ  （１２）ダイオード
【図１】
2006121889.tif 000003
【図２】
2006121889.tif 000004
【図３】
2006121889.tif 000005
【図４】
2006121889.tif 000006
【図５】
2006121889.tif 000007
【図６】
2006121889.tif 000008